(57)【要約】  【課題】  従来の誘引材は、時間の経過とともに香料の成分が揮発して抜けてしまい誘引材として機能しなくなる問題点があった。  【解決手段】  この発明の害獣害虫等の生物駆除装置は、害獣害虫等を誘引する香料５１を合成樹脂原料５０に混入して形成した合成樹脂性誘引物５を使用して、害獣害虫等の生物を誘引して捕獲するものであり、実施形態としては、害獣害虫等の生物を誘引する香料５１を合成樹脂原料５０に混入して形成した合成樹脂性誘引物５をスぺーサー５として形成し、粘着剤４を一面２に設けた板状体１に折り線部３を設け、折り線部３により粘着剤面２同士を対面するように折り畳み可能な板状体１の、夫々の粘着剤面２に合成樹脂性誘引物であるスぺーサー５を設けて害獣害虫等の生物を誘引し粘着剤４によって捕獲するとともに、スぺーサー５は板状体１を折り畳んだ状態で互いのスぺーサー５が当接する位置に設けられ粘着剤４同士を接着させない。【選択図】  図１
2006280321.tif 000002
【特許請求の範囲】
【請求項１】
害獣害虫等の生物を誘引する香料を合成樹脂原料に混入して形成した合成樹脂性誘引物を使用して、害獣害虫等の生物を誘引して捕獲することを特徴とする害獣害虫等の生物駆除装置。
【請求項２】
害獣害虫等の生物を誘引する香料を合成樹脂原料に混入して形成した合成樹脂性誘引物を、粘着剤を表面に設けた部材上に置いて、害獣害虫等の生物を誘引し粘着剤によって捕獲することを特徴とする害獣害虫等の生物駆除装置。
【請求項３】
害獣害虫等の生物を誘引する香料を合成樹脂原料に混入して形成した合成樹脂性誘引物をスぺーサーとして形成し、粘着剤を一面に設けた板状体に折り線部を設け、折り線部により粘着剤面同士を対面するように折り畳み可能な板状体の、それぞれの粘着剤面に合成樹脂性誘引物であるスぺーサーを設けて害獣害虫等の生物を誘引し粘着剤によって捕獲するとともに、スぺーサーは板状体を折り畳んだ状態で互いのスぺーサーが当接する位置に設けられ粘着剤同士を接着させないことを特徴とする害獣害虫等の生物駆除装置。
【発明の詳細な説明】
【技術分野】
【０００１】
この発明は、ゴキブリ、ハエ等の昆虫、ネズミ等の小ほ乳類など食品を食害したり、疫病を媒介したりする可能性のある害獣害虫等の生物を捕獲したり駆除する駆除装置に関する。特に家庭のダイニングキッチンや、食品販売店、料理屋等の食品を多量に保管する室内において、ゴキブリやハエ、ネズミ等を誘引して捕獲駆除する駆除装置に関する。
【背景技術】
【０００２】
害獣害虫等の生物駆除装置としては、殺虫剤や殺鼠剤をそれらの生物の好む食材に混ぜたものを、それらの生物の通過するような場所において殺して駆除する方法が知られている。別の害獣害虫等の生物駆除装置としては、従来から粘着剤を使用して、粘着剤の上に誘引材を含浸させた誘引物を置いた装置は、様々な態様のものが知られている。
【０００３】
そして従来の誘引物は、害獣害虫等の生物の好む食材や合成有機物等の中に香料等の誘引成分を含ませた誘引材から作られていた。  
【０００４】
また、合成樹脂材の表面に誘引成分を含む素材を吹付けたり塗ったりしてなる誘引物も公知であった。
【発明の開示】
【発明が解決しようとする課題】
【０００５】
様々な殺虫剤や殺鼠剤などを含入させた食材を誘引材として使用する場合、常に幼児やペット等の誤食や料理店、食品店における食品への誤混入の虞れがあり、その使用を非常に慎重に行う課題があった。
【０００６】
また、従来の粘着剤を使用して、粘着剤の上に誘引材を含浸させた誘引物を置いた駆除装置は、誘引材が生物の好む食材や合成有機物等の中に香料等の誘引成分を含ませてあるため、時間の経過とともに香料の成分が揮発して抜けてしまい誘引材として機能しなくなる問題点や、食材や有機物の腐敗により誘引材自体が機能しなくなる問題点があった。
【０００７】
また、合成樹脂材の表面に誘引成分を含む素材を吹付けたり塗ったりしてなる誘引物を使用した駆除装置も、時間の経過とともに香料の成分が揮発して抜けてしまい誘引材として機能しなくなる問題点があった。
【課題を解決するための手段】
【０００８】
上記課題を解決するため、害獣害虫等の生物を誘引する香料を合成樹脂原料に混入して形成した合成樹脂性誘引物を使用して、害獣害虫等の生物を誘引して捕獲することを特徴とする害獣害虫等の生物駆除装置を提案する。
【０００９】
また、害獣害虫等の生物を誘引する香料を合成樹脂原料に混入して形成した合成樹脂材からなる合成樹脂性誘引物を、粘着剤を表面に設けた部材上に置いて、害獣害虫等の生物を誘引し粘着剤によって捕獲することを特徴とする害獣害虫等の生物駆除装置を提案する。
【００１０】
更に、害獣害虫等の生物を誘引する香料を合成樹脂原料に混入して形成した合成樹脂性誘引物をスぺーサーとして形成し、粘着剤を一面に設けた板状体に折り線部を設け、折り線部により粘着剤面同士を対面するように折り畳み可能な板状体の、それぞれの粘着剤面に合成樹脂性誘引物であるスぺーサーを設けて害獣害虫等の生物を誘引し粘着剤によって捕獲するとともに、スぺーサーは板状体を折り畳んだ状態で互いのスぺーサーが当接する位置に設けられ粘着剤同士を接着させないことを特徴とする害獣害虫等の生物駆除装置を提案する。
【発明の効果】
【００１１】
この発明によれば、害獣害虫等の生物を誘引する香料を合成樹脂原料に混入して形成した合成樹脂性誘引物を使用することにより、匂い成分等の誘引性成分を合成樹脂性誘引物自体に従来と比較して非常に長期間保持することができ、長期間匂い成分等の誘引性成分を発生し続けることができる。そのため、害獣害虫等の生物駆除装置としての機能を長期間保持することができるようになった。
【００１２】
また、香料を合成樹脂原料に混入して形成した合成樹脂性誘引物が、合成樹脂成形からなるため、その合成樹脂性誘引物の対象の害虫害獣の好む形状、色彩、香り、また駆除装置を置く場所等の環境に合わせた形状、色彩、香りを選択して変更して製造することが容易にできるようになった。
【００１３】
更に、殺虫剤や殺鼠剤などの人体に危険な成分が入っていないため安全性があり、幼児やペットが近づく可能性のある場所にも設置することができる。
【００１４】
更にまた、請求項３に係る発明であると、合成樹脂性誘引物がスペーサーからなり、スぺーサーは部材を折り畳んだ状態で互いのスぺーサーが当接する位置に設けられ粘着剤同士を接着させないため、商品として販売、流通させる場合、折り畳んで接着材が内面になって取扱いが容易であるとともに、駆除装置として設置する場合は、本を開くように開くだけでスペーサーがそのままの状態で誘引物となり駆除装置として使用できるので、取扱いや設置が非常に容易になったという効果がある。
【発明を実施するための最良の形態】
【００１５】
この発明の１つの実施形態を示す図１乃至図５に基づいて説明する。図１は、合成樹脂性誘引物がスぺーサーである実施形態であり、折り線部によって表面側へ折り畳み可能な板状体からなる部材を開いた状態の平面図、図２は同じく折り線部によって表面側へ折り畳み可能な板状体からなる部材を折り畳んだ状態の平面図、図３は、図２のＡＡ線断面図、図４は、合成樹脂性誘引物であるスペーサーの斜視図、図５は、合成樹脂性誘引物の製造方法の実施例を示すフローチャート図である。
【００１６】
この発明は、害獣害虫等の生物を誘引する香料を合成樹脂原料に混入して形成した合成樹脂性誘引物５を使用して、害獣害虫等の生物を誘引して捕獲する害獣害虫等の生物駆除装置を提案する。合成樹脂性誘引物５は、ポリプロピレン樹脂等の硬質合成樹脂原料５０に、害獣害虫等の生物を誘引する香料５１等を混入して形成する。香料５１の性質は、油性で混入時に液状であり合成樹脂原料５０に均質の混入可能であればよい。
【００１７】
合成樹脂性誘引物５の製造方法の実施例についてフローチャートを示す図５に基づいて説明する。硬質合成樹脂原料としてポリプロピレン樹脂原料５０を使用し、香料として油性の香料であるピーナッツバターオイル５１を使用する。用意されたポリプロピレン樹脂原料５０にピーナッツバターオイル５１を加え一緒に攪拌機７により攪拌する。この攪拌時の全体の重量は２〜３ｋｇであるが、香料５１がポリプロピレン樹脂原料５０に均質に混じるように攪拌可能な装置なら２５ｋｇ程度を単位として攪拌することも可能である。この実施例ではポリプロピレン樹脂原料５０に対するピーナッツバターオイル等の香料５１の重量比は、約１００：３であるが、香料の性質や対象の害獣害虫等の生物の違いによって適宜変更する。
【００１８】
攪拌機７によってピーナッツバターオイル５１がポリプロピレン樹脂原料５０に均質に混入されたものを成型機の金型８に流し入れて固めて成型する。この実施例では、金型８はリング状のスペーサー用の形状をしたものである。
【００１９】
次に、この発明の好ましい実施形態の一つである害獣害虫等の生物駆除装置は、折り線部３を有し折り線部３によって一つの面２側へ折り畳み可能な板状体１のそれぞれの面２上に粘着剤４を設け、その粘着剤面２上にスペーサー５を置いて粘着剤４に接着して固定している。このスペーサー５の粘着剤面２上における位置は、板状体１を折り畳んだ状態で互いのスぺーサー５、５が当接する位置に設けられている。６は、板状体１の粘着剤面２の周辺に板状体を重層して形成された周辺部であり、周辺部６には粘着剤４を設けていない。
【００２０】
スペーサー５は合成樹脂性誘引物であり、害獣害虫等の生物を誘引する香料を合成樹脂原料に混入して形成される。スペーサー５は、この実施形態での形状はリング状であり、厚さ２〜５ｍｍ、幅２〜５ｍｍ、輪の直径１５〜２０ｍｍ程度である。スペーサー５の形状、大きさは、その厚さが板状体１を折り線部３から粘着剤面２側へ折り曲げたとき、スペーサー５、５同士が当接して、粘着剤４同士が接着しないような厚さであればよく、全体はリング状でなくても対象の害生物の大きさや好みに対応した形状、大きさであればよい。
【００２１】
この発明の実施形態では板状体１は厚紙からなり、粘着剤４はポリブデン、ゴムからなるが、他の実施形態では、板状体１は、硬質合成樹脂、木製等でもよく、粘着剤４は、ネズミ、ゴキブリ等を粘着可能な素材であればよい。
【産業上の利用可能性】
【００２２】
この発明は、ゴキブリ、ハエ等の昆虫、ネズミ等の小ほ乳類など食品を食害したり、疫病を媒介したりする可能性のある害獣害虫等の生物が出没する食品販売店、料理屋、また家庭のダイニングキッチンなどに置いて利用する可能性が高い。
【図面の簡単な説明】
【００２３】
【図１】この発明の１つの実施形態を示し、折り線部によって表面側へ折り畳み可能な板状体からなる部材を開いた状態の平面図
【図２】同じく折り線部によって表面側へ折り畳み可能な板状体からなる部材を折り畳んだ状態の平面図
【図３】図２のＡＡ線断面図
【図４】合成樹脂性誘引物であるスペーサーの斜視図
【図５】合成樹脂性誘引物の製造方法の実施例を示すフローチャート図
【符号の説明】
【００２４】
１  板状体  
２  表面（板状体の）
３  折り線部  
４  粘着剤  
５  合成樹脂性誘引物（スペーサー）
５０  合成樹脂原料
５１  香料
６  周辺部（板状体の）
７  攪拌機
８  成型機の金型
【図１】
2006280321.tif 000003
【図２】
2006280321.tif 000004
【図３】
2006280321.tif 000005
【図４】
2006280321.tif 000006
【図５】
2006280321.tif 000007